【事件の表示】
　平成１１年特許願第　２６４５８号「遊技機の遊技球投入・払出し個数情報の外部出力ユニット」拒絶査定不服審判事件〔平成１２年　８月　８日出願公開、特開２０００−２１８０１８〕について、次のとおり審決する。
【結　論】
　本件審判の請求は、成り立たない。
【理　由】
１．手続きの経緯
　本願は、平成１１年２月３日の出願であって、平成１５年１月１０日付で拒絶理由が通知され、平成１５年３月１４日付で意見書並びに手続補正書が提出され、平成１５年１１月１２日付で拒絶査定がなされ、平成１５年１２月１０日に審判請求がなされたものである。　
　　　　　　　　　　　　　　　　　　　　　　　　　　　　　　　　
　そして、平成１５年３月１４日付の手続補正により補正された特許請求の範囲の請求項２に係る発明は、その請求項２において特定される下記のとおりのものである。
　　　　　　　　　　　　　　　　　　　　　　　　　　　　　
　「遊技球の個数を一時記憶するクレジット装置を有する遊技機において、遊技球の
払出し個数情報と共にクレジットが作動中であるかどうかの情報
　　　　　　　　　　　　　　　　　　　　　　　　　　
２．引用例とその記載事項について
　平成１５年１月１０日付の拒絶の理由に引用された特開平８−２２９２１７号公報（以下、「引用例」という。）には、以下の事項が図面とともに記載されている。
　　　　　　　　　　　　　　　　　　　　　　　　　　　　　　
・記載事項１
　「【０００１】【産業上の利用分野】本発明は、たとえばパチンコ遊技機やコイン遊技機あるいはスロットマシン等に代表される遊技機を含む遊技用装置に関し、詳しくは景品としての遊技媒体を払出す景品媒体払出条件が成立した場合に景品としての遊技媒体を払出す第１の払出態様と、前記景品媒体払出条件が成立した場合に払出すべき景品としての遊技媒体数を特定できる景品情報を累積的に加算記憶可能な第２の払出態様とに切換可能な遊技機を含む遊技用装置に関する。」
　　　　　　　　　　　　　　　　　　　　　　　　　　　　　
・記載事項２
　「【００１３】【発明の実施例】次に、本発明の実施例を図面に基づいて詳細に説明する。なお、本実施例においては、弾球遊技機の一例としてパチンコ遊技機を示すが、本発明はこれに限らず、たとえばコイン遊技機等であってもよい。」
　　　　　　　　　　　　　　　　　　　　　　　　　　　　　　
・記載事項３
　「【００２０】打球供給皿６には、モード切換ボタン１０が設けられており、遊技者がこのモード切換ボタン１０を押圧操作することにより、通常の遊技モードからクレジットモードに切換えることができ、再度モード切換ボタン１０を押圧することにより、クレジットモードから通常の遊技モードに切換えることができる。このクレジットモードとは、打球供給皿６内のパチンコ玉あるいは遊技の結果景品玉払出条件が成立したときに遊技者に払出されるべき景品玉等の遊技媒体を、得点等の形で記憶しておき、精算時等にその記憶している得点に相当する遊技媒体を遊技者に払出す遊技モードのことである。そして、クレジットモードになっている場合にはクレジットモード表示器１２が点灯してその旨を表示するとともに、記憶されているクレジット得点がクレジット表示器１１により表示される。」
　　　　　　　　　　　　　　　　　　　　　　　　　　　　　　　　
・記載事項４
　「【００８２】払出制御用マイクロコンピュータ４００は、モータ回路４０２，中継端子基板１８４を介して払出モータ７０３にモータ駆動制御信号を出力する。払出制御用マイクロコンピュータ４００は、リレー回路４０３，中継端子基板１８４を介してハンドルモータ（打球モータ）１７５にモータ電源供給制御信号を出力する。払出制御用マイクロコンピュータ４００は、ソレノイド回路４０４，中継端子基板１８４を介してソレノイド１２７（図１３参照）にソレノイド励磁用制御信号を出力する。払出制御用マイクロコンピュータ４００は、情報入力回路４０５，中継端子基板１８４を介して、入出力処理装置６００から、後述する発射停止指令信号，クレジット解除信号，カード受付信号，玉貸禁止信号が入力され、払出制御用マイクロコンピュータ４００から、情報出力回路４０６，中継端子基板１８４を介して入出力処理装置６００に、玉貸受付信号，クレジット信号が出力される。」
　　　　　　　　　　　　　　　　　　　　　　　　　　　　　　　　　
・記載事項５
　「【００８３】払出制御用マイクロコンピュータ４００は、情報出力回路４０６，中継端子基板１８４を介して、景品玉の所定個数ａ（たとえば１０個）の払出が行なわれた旨の情報である補給情報と、景品玉の払出し個数の最少の単位である単位額（たとえば１００円）分の玉貸が行なわれた旨の情報である玉貸情報とを、ホール用管理コンピュータ８００（図１８参照）に出力する。払出制御用マイクロコンピュータ４００は、ランプ回路４０７，中継端子基板１８４を介して、払出ランプ４３，玉切れランプ４４にランプ点灯用制御信号を出力するとともに、アナログ表示器２３にアナログ表示用制御信号を出力する。払出制御用マイクロコンピュータ４００は、セグメントＬＥＤ回路４０８，中継端子基板１８４を介して、クレジット表示器１１にクレジット表示用制御信号を出力する。払出制御用マイクロコンピュータ４００は、ＬＥＤ回路４０９，中継端子基板１８４を介して、エラー表示器１５５にエラー表示制御信号を出力するとともに、クレジットモード表示器１２にクレジットモード表示用制御信号を出力する。払出制御用マイクロコンピュータ４００は、音回路４１０，中継端子基板１８４を介して、スピーカ４１５に音発生用の制御信号を出力する。図中、１５２は払出制御回路基板であり、この払出制御回路基板１５２に、図示する各種回路と払出制御用マイクロコンピュータ４００とバックアップ電源４１８とが設けられている。このバックアップ電源４１８は、払出制御用マイクロコンピュータ４００をバックアップするための電源であり、停電時等においてもこのバックアップ電源４１８により払出制御用マイクロコンピュータ４００がバックアップされて、クレジット数やゲーム制御用マイクロコンピュータ５００から入力された賞球個数情報の記憶が消去されないように保持される。図１５に示した制御回路や各種機器には、電源回路４１４から所定の直流電圧が供給される。」
　　　　　　　　　　　　　　　　　　　　　　　　　　　　　
・記載事項６
　「【００９９】貸出されたパチンコ玉を遊技領域に打込んでその打込玉が所定の入賞領域に入賞すれば、払出制御用マイクロコンピュータ４００から入賞玉データ信号がゲーム制御用マイクロコンピュータ５００に出力される。ゲーム制御用マイクロコンピュータ５００では、その入賞玉データに従って、賞球数データ信号を払出制御用マイクロコンピュータ４００に出力し、その賞球数データ信号を受けた払出制御用マイクロコンピュータ４００は入力された賞球数データに従った個数だけの景品玉を玉払出装置９７を動作させて払出す。前記タンク満タン検出器の検出信号に基づいた満タン信号が補給装置２０１Ａから払出制御用マイクロコンピュータ４００に入力されるとともに、前記玉不足検出器の検出信号に基づいた玉不足信号が補給装置２０１Ａから払出制御用マイクロコンピュータ４００に入力される。カード処理機制御用マイクロコンピュータ３００から入出力処理装置６００に対し、カード受付信号，カード返却信号が与えられる。この両信号は、カード挿入表示器２５（図１参照）の点灯あるいは消灯状態をフォトセンサ３１７（図１４参照）が検出することにより入出力処理装置６００に入力される。入出力処理装置６００からカード処理機制御用マイクロコンピュータ３００に対し、玉貸条件信号とカード返却条件信号とが出力される。払出制御用マイクロコンピュータ４００から入出力処理装置６００に対し、玉貸受付信号とクレジット信号とが出力される。玉貸受付信号は、カード処理機制御用マイクロコンピュータ３００から玉貸要求信号が入力されてきたことに伴って玉貸動作が行なえる状態であるか否かを判定し、行なえる状態のときに払出制御用マイクロコンピュータ４００から出力される信号である。クレジット信号とは、パチンコ遊技機１がクレジットモードになりかつクレジット数が所定値に達した場合に払出制御用マイクロコンピュータから出力される信号である。」
　　　　　　　　　　　　　　　　　　　　　　　　　　　
・記載事項７
　「【０１００】入出力処理装置６００から払出制御用マイクロコンピュータ４００に対し、発射停止指令信号，クレジット解除信号，カード受付信号，玉貸禁止信号が与えられる。発射停止指令信号とは、打球発射装置１７４による打球の発射を停止させるための指令信号であり、クレジット解除信号とは、パチンコ遊技機１のクレジットモードを解除するための信号である。またカード受付信号とは、カード処理制御用マイクロコンピュータ３００から入力されてきたカード受付信号に基づいて入出力処理装置６００から出力される信号である。玉貸禁止信号とは、前面枠２やガラス扉枠４が開成している場合あるいは自動玉貸モードで単位額（１００円）の玉貸が行なわれた後に出力される信号であり、玉貸動作を禁止するための信号である。ゲーム制御用マイクロコンピュータ５００から入出力処理装置６００に対し、大当り信号とラッキーナンバー信号とが与えられる。入出力処理装置６００からゲーム制御用マイクロコンピュータ５００に対し、大当り中断指令信号が与えられる。この大当り中断指令信号は、大当り制御を中断する旨の指令信号であり、大当りが発生したときに打球供給皿６内の玉の欠乏を玉欠乏検出器（２）９ａが検出している場合に出力される信号である。カード処理機制御用マイクロコンピュータ３００からホール用管理コンピュータ８００に対し、単位額売上信号が出力される。この単位額売上信号は、最小単位額（１００円）の玉貸が行なわれるたびにホール用管理コンピュータ８００に出力されるものである。払出制御用マイクロコンピュータ４００からホール用管理コンピュータ８００に対し、玉貸（単位額売上）信号と補給信号とが与えられる。この補給信号は、入賞玉に基づいた景品玉の払出が所定個数ａ（たとえば１０個）に達する毎にホール用管理コンピュータ８００に出力される信号である。ホール用管理コンピュータは、この信号に基づいて遊技場にとって不利益となる不利益情報の集計を行なう。なお、クレジットモードにおいては、入賞玉に基づいて付与されるクレジット数の加算値が所定値ａに達するごとに同様の補給信号がホール用管理コンピュータ８００に出力される。これにより、入賞玉に応じて景品玉の払出しが行なわれないクレジットモードにおいても、ホール用管理コンピュータは不利益情報の集計を行なうことが可能となる。ゲーム制御用マイクロコンピュータ５００からホール用管理コンピュータ８００に対し大当り信号が出力される。」
　　　　　　　　　　　　　　　　　　　　　　　　　　　　　　　
　以上の引用例の記載事項１〜記載事項７の記載及び図１〜図３１によれば、引用例には次の発明が記載されていると認められる。
　　　　　　　　　　　　　　　　　　　　　　　　　　　　　　
　「クレジットモード切換時に、遊技媒体を得点の形で記憶するパチンコ遊技機において、クレジットモードである場合に、入賞玉に基づいた景品玉の払出が所定個数ａに達する毎に補給信号をホール用管理コンピュータ８００に出力する、払出制御用マイクロコンピュータ４００」（以下、「引用例に記載された発明」という。）
　　　　　　　　　　　　　　　　　　　　　　　　　　　
（３）本願発明についての検討
　引用例に記載された発明と本願発明を対比すると、引用例に記載された発明の「パチンコ遊技機」は本願発明の「遊技機」に相当し、以下同様に、「ホール用管理コンピュータ８００に出力する」は「外部に出力する」に、「払出制御用マイクロコンピュータ４００」は「外部出力ユニット」にそれぞれ相当している。
　また、引用例に記載された発明は、以下の点を実質的に具備しているということができる。
　　　　　　　　　　　　　　　　　　　　　　　　　　
・実質的具備事項１ 
　引用例の記載事項３の「【００２０】打球供給皿６には、モード切換ボタン１０が設けられており、遊技者がこのモード切換ボタン１０を押圧操作することにより、通常の遊技モードからクレジットモードに切換えることができ、再度モード切換ボタン１０を押圧することにより、クレジットモードから通常の遊技モードに切換えることができる。このクレジットモードとは、打球供給皿６内のパチンコ玉あるいは遊技の結果景品玉払出条件が成立したときに遊技者に払出されるべき景品玉等の遊技媒体を、得点等の形で記憶しておき、精算時等にその記憶している得点に相当する遊技媒体を遊技者に払出す遊技モードのことである。・・・」なる記載、および同記載事項７の「【０１００】入出力処理装置６００から払出制御用マイクロコンピュータ４００に対し、発射停止指令信号，クレジット解除信号，カード受付信号，玉貸禁止信号が与えられる。・・・クレジット解除信号とは、パチンコ遊技機１のクレジットモードを解除するための信号である。・・・」なる記載に基づけば、クレジットモードと通常モードに切り換え自在であり、また、クレジットモードにおいて、遊技媒体を得点の形で記憶し、そのクレジットは解除し得るものであることは明らかであるから、引用例に記載された発明の「クレジットモードにおいて、遊技媒体を得点の形で記憶するパチンコ遊技機１」なる記載は、「クレジットモードにおいて、実質的に数として機能する得点の形で遊技媒体を一時的に記憶することができるクレジット装置を有しているパチンコ遊技機」と言い換えることができる。
　そして、引用例に記載された発明の「パチンコ遊技機１」は本願発明の「遊技機」に相当していることは上記したとおりである。
　そうすると、引用例に記載された発明は、遊技球の個数を一時記憶するクレジット装置を有するパチンコ遊技機を実質的に有していると解される。
　　　　　　　　　　　　　　　　　　　　　　　　　　　　　　　　　
・実質的具備事項２
　引用例の記載事項５の「【００８３】払出制御用マイクロコンピュータ４００は、情報出力回路４０６，中継端子基板１８４を介して、景品玉の所定個数ａ（たとえば１０個）の払出が行なわれた旨の情報である補給情報と、景品玉の払出し個数の最少の単位である単位額（たとえば１００円）分の玉貸が行なわれた旨の情報である玉貸情報とを、ホール用管理コンピュータ８００（図１８参照）に出力する。・・・」、同記載事項７の「・・・払出制御用マイクロコンピュータ４００からホール用管理コンピュータ８００に対し、玉貸（単位額売上）信号と補給信号とが与えられる。この補給信号は、入賞玉に基づいた景品玉の払出が所定個数ａ（たとえば１０個）に達する毎にホール用管理コンピュータ８００に出力される信号である。ホール用管理コンピュータは、この信号に基づいて遊技場にとって不利益となる不利益情報の集計を行なう。なお、クレジットモードにおいては、入賞玉に基づいて付与されるクレジット数の加算値が所定値ａに達するごとに同様の補給信号がホール用管理コンピュータ８００に出力される。これにより、入賞玉に応じて景品玉の払出しが行なわれないクレジットモードにおいても、ホール用管理コンピュータは不利益情報の集計を行なうことが可能となる。・・・」なる記載および図１８に基づけば、クレジットモードである場合に、払出制御用マイクロコンピュータ４００からホール用管理コンピュータ８００に対し、入賞玉に基づいた景品玉の払出が所定個数ａに達する毎に補給信号として出力するものであり、この補給信号の数に基づいて払い出し個数を集計するのであるから、補給信号は実質的に払い出し個数に置き換えることができると解される。また、玉貸（単位額売上）信号は、パチンコ遊技機への遊技媒体の投入数を実質的に示すものであり、遊技媒体の投入個数情報と言い換えることができ、その玉貸し信号はホール用管理コンピュータ８００に出力されるものである。したがって、払出制御用マイクロコンピュータ４００は、遊技媒体の投入個数情報と払い出し個数に関する情報を外部装置であるホール用管理コンピュータ８００に出力しているということができる。
　そして、引用例に記載された発明の「払出制御用マイクロコンピュータ４００」は、本願発明の「外部出力ユニット」に相当していることは上記したとおりであり、かつ、上記実質的具備事項１において示したように、得点の形の遊技媒体は遊技球の個数と言い換えできるのであるから、遊技媒体は遊技球であることは明らかなことである。
　そうすると、引用例に記載された発明は、「遊技球の払出し個数情報を外部に出力する遊技球投入・払い出し個数情報の外部出力ユニット」を実質的に具備しているということができる。
　　　　　　　　　　　　　　　　　　　　　　　　　　　　　
　そこで、本願発明と引用例に記載された発明を対比すると、
　「遊技球の個数を一時記憶するクレジット装置を有する遊技機において、遊技球の払出し個数情報を外部に出力する、遊技球投入・払い出し個数情報の外部出力ユニット」の点で一致し、以下の点で相違している。
　　　　　　　　　　　　　　　　　　　　　　　　　　　　　　
＜相違点＞
　外部出力ユニットから外部へ出力する情報が、本願発明においては、遊技球の払出し個数情報と共にクレジットが作動中であるか否かの情報であるのに対して、引用例に記載された発明においては、クレジットモード情報を受け入れた後に、遊技球の払出し個数情報を出力するものである点。　　　　　　　　　　　　　　　　　　　　　　　　　　　　　　
（４）判断
　上記相違点について検討する。
　上記実質的具備事項２において示したように、払出制御用マイクロコンピュータ４００は、クレジットモードである場合に、クレジット数を入出力処理装置６００へ出力しているから、払出制御用マイクロコンピュータ４００は、クレジット作動中であるか否かの情報を少なくとも有していると解され、払出制御用マイクロコンピュータ４００は、補給信号と玉貸（単位額売上）信号をホール用管理コンピュータ８００に出力し、ホール用管理コンピュータ８００は、少なくとも、クレジット作動中であるか否かの情報を用いた上で、補給信号と玉貸（単位額売上）信号に基づいて集計情報を得るものということができる。
　また、クレジット作動中であるか否かの情報、補給信号情報および玉貸し信号情報を段階的に用いて集計を行うか、もしくは同時に用いて集計を行うかは、いずれの場合でも、集計情報を得る点で同じであり、単に手順が異なっているに過ぎない上、特開平１０−３０５１４５号公報（【００２１】【００２２】）、特開平１０−２５８１７４号公報（【００２２】【００２３】）、特開平５−２７７２５１号公報（【００２３】）等に示されるように、遊技機技術分野において、不利益球数情報を集計する際に、打込玉検出情報をホール用コンピュータに直接入力すること、もしくは払出集中制御基板を介して入力することが周知技術にすぎないのであるから、不利益球数情報を集計する際、クレジット作動中であるか否かの情報を、払出制御用マイクロコンピュータ４００において用いるか、もしくは払出制御用マイクロコンピュータ４００からホール用管理コンピュータ８００に出力した後にホール用管理コンピュータ８００において用いるかは、当業者が適宜選択できる程度の設計事項に過ぎないということができる。
　そして、引用例に記載された発明および上記周知技術は、遊技機技術分野において、集計に関する技術において関連しているのであるから、相互に利用することに格別の困難性を見出すことができない。
　そうすると、引用例に記載された発明の遊技球の払出し個数情報に、クレジット作動中であるか否かの情報を付加して、外部に出力するようにすること、すなわち上記相違点に係る構成となすことは、当業者が容易に想到し得る程度のことということができる。
　　　　　　　　　　　　　　　　　　　　　　　　　　
　以上のとおり、本願発明は、引用例に記載された発明および周知技術に基づいて、当業者が容易に発明できたものである。
　　　　　　　　　　　　　　　　　　　　　　　　　　　　　
（５）作用効果
　本願発明によって奏する効果も、引用例に記載された発明および周知技術に基づいて、普通に予測できる範囲内のものであって格別のものがあるとは認められない。
　　　　　　　　　　　　　　　　　　　　　　　　　　　　　
（６）むすび
　以上のとおり、本願発明は、引用例に記載された発明および周知技術に基づいて、当業者が容易に発明をすることができたものであるから、特許法第２９条第２項の規定により特許を受けることができない。
　したがって、他の請求項について検討するまでもなく、本願は拒絶されるべきものである。
　よって、結論のとおり審決する。